(57)【要約】【課題】本発明は、加速度に連動させて画面制御を行う携帯端末であって、状況に応じて加速度センサの電源のＯＮ／ＯＦＦ状態を制御することにより、画面制御の際の電力消費を軽減することができる携帯端末を提供する。【解決手段】携帯端末１にかかる加速度を検出する加速度センサを備えるとともに、加速度センサの検出値に応じて画面の表示方向を設定して表示する表示手段１１と、表示手段１１の画面が点灯状態から消灯状態に遷移したことを検出する第１の検出手段と、第１の検出手段により遷移が検出された場合、前記加速度センサの電源をＯＦＦにする電源制御手段と、を備えた。【選択図】  図５
2010245833.tif 000002
【特許請求の範囲】
【請求項１】
携帯端末にかかる加速度を検出する加速度センサを備えるとともに、
前記加速度センサの検出値に応じて画面の表示方向を設定して表示する表示手段と、
前記表示手段の画面が点灯状態から消灯状態に遷移したことを検出する第１の検出手段と、
前記第１の検出手段により遷移が検出された場合、前記加速度センサの電源をＯＦＦにする電源制御手段と、
を備えたことを特徴とする携帯端末。
【請求項２】
最上位で実行されているアプリケーションプログラムが変更されたことを検出する第２の検出手段を備え、
前記電源制御手段は、前記第２の検出手段により変更が検出された際、このアプリケーションプログラムの実行画面の表示方向が加速度に応じて変更されないアプリケーションである場合、前記加速度センサの電源をＯＦＦにすることを特徴とする請求項１記載の携帯端末。
【請求項３】
加速度に応じて画面の表示方向を変更するか否かの入力を受け付ける受付手段を備え、
前記電源制御手段は、前記受付手段により加速度に応じて画面の表示方向を変更しない旨の入力を受け付けた場合、前記加速度センサの電源をＯＦＦにすることを特徴とする請求項１記載の携帯端末。
【請求項４】
携帯端末にかかる加速度を検出する加速度センサを備えるとともに、
前記加速度センサの検出値に応じて画面の表示方向を設定して表示する表示手段と、
前記表示手段の画面が消灯状態から点灯状態に遷移したことを検出する第３の検出手段と、
前記表示手段の画面が消灯状態である場合、前記加速度センサの電源をＯＦＦにし、前記第３の検出手段により遷移が検出された場合、前記加速度センサの電源をＯＮにする電源制御手段と、
を備えたことを特徴とする携帯端末。
【請求項５】
加速度に応じて画面の表示方向を変更するか否かの入力を受け付ける受付手段を備え、
前記電源制御手段は、前記受付手段により加速度に応じて画面の表示方向を変更しない旨の入力を受け付けた場合には、前記第３の検出手段により遷移が検出されても前記加速度センサの電源をＯＦＦに維持することを特徴とする請求項４記載の携帯端末。
【請求項６】
前記電源制御手段は、最上位で実行されているアプリケーションプログラムの実行画面の表示方向が加速度に応じて変更されないアプリケーションである場合、前記第３の検出手段により遷移が検出されても前記加速度センサの電源をＯＦＦに維持することを特徴とする請求項４記載の携帯端末。
【発明の詳細な説明】
【技術分野】
【０００１】
本発明は、加速度に応じて画面の表示方向を切り替える携帯端末に係り、具体的には、加速度検出を行う必要があるかどうかで加速度センサの電源のＯＮ／ＯＦＦ状態を切り替えることができる携帯端末に関する。
【背景技術】
【０００２】
近年、例えば端末の保持状態に応じて画面表示を制御するために加速度センサを搭載した携帯端末が増えてきている。このような携帯端末では、加速度により端末の向きを判断して、画面の表示方向を切り替えることができる。しかしながら、この処理を実現するためには、加速度の変化を定期的に監視する仕組みが必要となる。すなわち、加速度の検出は加速度センサ（ハードウェア）で行われるため、携帯端末にかかる加速度を定期的に監視するためには、加速度センサに定期的に電流を流している必要があり、消費電流が大きくなってしまうという問題があった。
【０００３】
そこで、例えば、身体に装着されていない場合に加速度センサへの電源供給を停止する体動計測機器が提案されている（特許文献１参照）。この体動計測機器は、装着センサが身体の装着を検出すると加速度センサ用電源部をＯＮにして、体動検出部の加速度センサ及びアンプ部に電源を供給し、その後、体動検出部からの加速度信号に基づいて活動量を計算するとともに、加速度センサによる身体への装着が未検出の場合、加速度センサ用電源部をＯＦＦにして、加速度センサ及びアンプ部への電源供給を停止するものである。
【先行技術文献】
【特許文献】
【０００４】
【特許文献１】特開２００８−２４６１７６号公報
【発明の概要】
【発明が解決しようとする課題】
【０００５】
近年、携帯端末のディスプレイの省電力化を図るために、操作開始時にディスプレイの電源をＯＮにするとともに、一定時間以上操作がされなかった場合にディスプレイの電源をＯＦＦに切り替えるように制御される携帯端末が増えてきている。よって、ディスプレイの画面の表示方向を加速度と連動させるために加速度センサを搭載した携帯端末において、更なる省電力化を測るためには、ディスプレイの電源のＯＮ／ＯＦＦ状態が考慮されつつ加速度センサの電源が制御されることが望ましい。
【０００６】
また、携帯端末の多機能化により、携帯端末で実行されるアプリケーションプログラムによっては、実行画面の表示方向が携帯端末に加わる加速度と連動している場合と連動していない場合とがある。よって、携帯端末で実行されているアプリケーションプログラムに応じて、加速度センサの電源のＯＮ／ＯＦＦ状態が制御されることが望ましい。
【０００７】
本発明は、上記課題を鑑みてなされたものであり、加速度に連動させて画面制御を行う携帯端末であって、状況に応じて加速度センサの電源のＯＮ／ＯＦＦ状態を制御することにより、画面制御の際の電力消費を軽減することができる携帯端末を提供することを目的とする。
【課題を解決するための手段】
【０００８】
上記課題を解決するために、本発明に係る携帯端末は、携帯端末にかかる加速度を検出する加速度センサを備えるとともに、前記加速度センサの検出値に応じて画面の表示方向を設定して表示する表示手段と、前記表示手段の画面が点灯状態から消灯状態に遷移したことを検出する第１の検出手段と、前記第１の検出手段により遷移が検出された場合、前記加速度センサの電源をＯＦＦにする電源制御手段と、を備えたことを特徴とする。
【発明の効果】
【０００９】
本発明に係る携帯端末によると、加速度に連動させて画面制御を行うとともに、状況に応じて加速度センサの電源のＯＮ／ＯＦＦ状態を制御することにより、画面制御の際の電力消費を軽減することが可能となる。
【図面の簡単な説明】
【００１０】
【図１】本発明に係る携帯端末（携帯電話機）を示す斜視図。
【図２】本発明に係る携帯端末（携帯電話機）の機能を示すブロック図。
【図３】（Ａ）は、本発明に係る携帯端末（携帯電話機）を横方向で使用した状態を示す図、（Ｂ）は、本発明に係る携帯端末（携帯電話機）を縦方向で使用した状態を示す図。
【図４】（Ａ）は、本発明に係る携帯端末（携帯電話機）を横方向で使用したときにタッチスクリーンに表示される画面の一例を示す図、（Ｂ）は、本発明に係る携帯端末（携帯電話機）を縦方向で使用したときにタッチスクリーンに表示される画面の一例を示す図。
【図５】本発明に係る携帯端末（携帯電話機）における加速度センサの電源制御処理を説明するための概略図。
【図６】本発明に係る携帯端末（携帯電話機）における加速度センサの電源制御処理を行うためのソフトウェア構成図。
【図７】本発明に係る携帯端末（携帯電話機）が加速度センサの電源制御処理を行う際の手順を示すフローチャート。
【図８】本発明に係る携帯端末（携帯電話機）が加速度センサの電源制御処理を行う際の手順を示すフローチャート。
【図９】（Ａ）は、本発明に係る携帯端末（携帯電話機）において規定情報に基づいて画面の表示方向を設定した場合の画面図、（Ｂ）は、本発明に係る携帯端末（携帯電話機）において加速度に基づいて画面の表示方向を設定した場合の画面図。
【発明を実施するための形態】
【００１１】
本発明に係る携帯端末の実施形態について、添付図面を参照しながら説明する。本発明に係る携帯端末として、加速度センサとタッチスクリーンを備え、加速度に応じてタッチスクリーンの画面の表示方向を制御することができる携帯電話機１を例に挙げて説明する。
【００１２】
図１は、携帯電話機１を示す斜視図である。携帯電話機１は、図１に示すように、矩形の板状の筐体１０を備えている。筐体１０の表面には、データを表示するとともに接触によりデータを入力するタッチスクリーン１１、音声を出力するためのスピーカ１２、音声を入力するためのマイクロフォン１３、及び、押下されることにより指示を入力する複数の操作キー１４が設けられている。
【００１３】
タッチスクリーン１１は、文字や画像等からなる表示データを表示する表示機能、及び、ユーザが指や専用のペンで画面に触れた際にこの接触位置を検知することにより指示を入力する入力機能の双方の機能を備えたディスプレイであり、このディスプレイは例えば矩形の形状に形成されている。タッチスクリーン１１は、例えばディスプレイの上に、表面に接触を検知するための素子が複数配置され、さらにその上に透明なスクリーンが積層されることにより形成されている。タッチスクリーン１１の接触を感知する方法は、圧力の変化を感知する感圧式であっても、静電気による電気信号を感知する静電式であっても、その他の方法であっても良いし、タッチスクリーン１１は接触を検知する機能を備えていない、通常のディスプレイであっても良い。
【００１４】
操作キー１４は、例えば、タッチスクリーン１１に表示されたカーソルを上下左右に移動させたり画面をスクロールさせたりするための方向キーや、電話発呼するための発呼キー、通話を終了するための終話キー、メール機能やＷｅｂ機能を起動するためのショートカットキーなどである。
【００１５】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、加速度検出部２６、及び記憶部２７がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する加速度センサ２６ａの電源制御処理や、その他の様々な演算処理や制御処理などを行う。電源回路部２１は、電源供給源（バッテリ等）を備え、例えば所定の操作キー１４を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１７】
操作入力制御部２２はタッチスクリーン１１に対する入力インタフェースを備えていて、タッチスクリーン１１に接触があったことを検知すると、その接触があった位置を示す信号を生成して主制御部２０に伝送する。また、操作入力制御部２２は操作キー１４に対する入力インタフェースを備えていて、操作キー１４が押下されたことを検知すると、その押下されたキーを示す信号を生成して主制御部２０に伝送する。信号を受信した主制御部２０は、この信号に基づいて様々な処理を行う。表示制御部２３はタッチスクリーン１１に対する表示インタフェースを備え、主制御部２０の制御に基づいて、表示画面データを生成してタッチスクリーン１１に表示させる。
【００１８】
音声制御部２４は、主制御部２０の制御に基づいて、マイクロフォン１３で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１２から音声として出力する。
【００１９】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１２から出力されたり、表示制御部２３に伝送されてタッチスクリーン１１に表示されたり、または記憶部２６に記録されたりする。また通信制御部２５は、主制御部２０の制御に基づいて、マイクロフォン１３で集音された音声データや、タッチスクリーン１１または操作キー１４を介して入力されたデータや記憶部２６に記憶されたデータを取得すると、これらのデータに対してスペクトラム拡散処理を行い、基地局に対してアンテナ２５ａを介して送信する。
【００２０】
加速度検出部２６は、携帯電話機１に加わっている加速度を検出する加速度センサ２６ａを備えていて、主制御部２０の制御に基づいて、あるいは一定時間経過ごとに、加速度センサ２６ａにより検出された加速度を示す信号を生成して、この信号を主制御部２０に伝送する。
【００２１】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する加速度センサ２６ａの電源制御処理を行う際の処理プログラムは、例えばＲＯＭに記憶されているものとする。
【００２２】
携帯電話機１は、加速度センサ２６ａにより携帯電話機１の使用状態（筐体１０の上下方向（すなわち加速度の方向））を推測し、これに応じて、タッチスクリーン１１の表示画面の表示方向を切り替える機能を備えている。図３（Ａ）は、携帯電話機１を横方向で使用した状態を示す図であり、図３（Ｂ）は、携帯電話機１を縦方向で使用した状態を示す図である。携帯電話機１は、図３（Ａ）及び図３（Ｂ）に示すように、加わっている加速度に基づいて、携帯電話機１が横方向の向き（図１に示すＸ方向が水平方向に位置する向き）で使用されているか縦方向の向き（図１に示すＸ方向が鉛直方向に位置する向き）で使用されているかを判断する。
【００２３】
図４（Ａ）は、携帯電話機１を横方向で使用したときにタッチスクリーン１１に表示される画面の一例を示す図であり、図４（Ｂ）は、携帯電話機１を縦方向で使用したときにタッチスクリーン１１に表示される画面の一例を示す図である。図３（Ａ）に示すように携帯電話機１が横向きで使用されている場合には、タッチスクリーン１１には、図４（Ａ）に示すように画面が横向きに表示され、図３（Ｂ）に示すように携帯電話機１が縦向きで使用されている場合には、タッチスクリーン１１には、図４（Ｂ）に示すように画面が縦向きに表示される。
【００２４】
携帯電話機１が上述した処理を実行するためには、加速度の変化を定期的、継続的に監視する仕組みが必要である。加速度の検出はハードウェアである加速度センサ２６ａで行われるため、加速度を定期的、継続的に監視するためには、加速度センサ２６ａの電源を常時ＯＮにしておく必要があり、このような定期監視を行うと消費電流が大きくなってしまう。
【００２５】
そこで携帯電話機１は、図５の概略図に示すように、画面表示が消灯状態の場合や、加速度に応じて表示方向を変更する必要のないアプリケーションプログラムが起動されている場合、または、ユーザ設定により画面の表示方向と加速度センサ２６ａとの連動がＯＦＦに設定されている場合などには、加速度の変化を監視する必要がないため、このような状態においては、加速度センサ２６ａの電源をＯＦＦにし定期監視を停止させることにより、省電力を実現している。
【００２６】
また、携帯電話機１は、画面表示が消灯状態から点灯状態に変化したタイミング、加速度に応じた画面の表示方向の変化が可能となったタイミング、ユーザ設定により画面の表示方向と加速度センサ２６ａとの連動がＯＮに設定されたタイミングにおいて、最新の加速度情報や表示方向の変更情報を取得し、その情報に応じた表示方向の変更を行うことにより、加速度センサ２６ａの電源ＯＦＦ状態からの復帰を行う。
【００２７】
図６は、携帯電話機１が加速度センサ２６ａの電源制御処理を行うためのソフトウェア構成図である。加速度検出部２６は、加速度センサ２６ａにおける検出値を取得して、加速度を示す信号（図１に示すＸ軸、Ｙ軸、Ｚ軸方向のそれぞれの加速度を示す信号）を生成する加速度検出モジュール２６ｂ、加速度検出モジュール２６ｂに対して定期的に情報取得要求を送信して、加速度検出モジュール２６ｂから携帯電話機１にかかる加速度を示す信号を取得する加速度イベント制御モジュール２６ｃを備えている。加速度イベント制御モジュール２６ｃは、加速度センサ２６ａの電源のＯＮ／ＯＦＦ状態を切り替えるための要求を加速度検出モジュール２６ｂに送信し、これを受信した加速度検出モジュール２６ｂは、この信号に基づいて加速度センサ２６ａの電源のＯＮ／ＯＦＦ状態を切り替える。
【００２８】
表示制御部２３は、タッチスクリーン１１に対して画面の点灯／消灯状態を切り替えるための要求を送信する画面表示点灯消灯制御モジュール２３ａを備えている。また、画面表示点灯消灯制御モジュール２３ａは、タッチスクリーン１１の画面の点灯／消灯状態を切り替えた際には、加速度イベント制御モジュール２６ｃに対して画面の点灯／消灯状態を示す信号を送信する。画面表示点灯消灯制御モジュール２６ｃは、例えば、携帯電話機１の無操作状態が一定時間以上継続した場合などにタッチスクリーン１１の画面表示を消灯するとともに、タッチパネル１１や操作キー１４の操作で再び画面を点灯させる。
【００２９】
主制御部２０は、ユーザにより設定された加速度連動情報を記憶していて、要求に応じてこの加速度連動情報を加速度イベント制御モジュール２６ｃに対して送信する加速度センサ連動設定モジュール２０ａを備えている。加速度連動情報は、携帯電話機１の使用状態によってタッチスクリーン１１の画面の表示方向を切り替えるか否かを示す情報であり、ユーザの入力により設定された情報である。
【００３０】
また、主制御部２０が最上位で実行しているアプリケーションプログラムである上位アプリケーション２０ｂは、例えば起動されたタイミングや最上位に遷移したタイミングで、加速度連動情報を加速度イベント制御モジュール２６ｃに対して送信する。この加速度連動情報は、携帯電話機１の使用状態によってタッチスクリーン１１の画面の表示方向を切り替えるか否かを示す情報であり、アプリケーションプログラムに予め設定されている。さらに、上位アプリケーション２０ｂは、携帯電話機１の使用状態によって表示方向を切り替える場合には、加速度情報を要求するための情報取得要求を加速度イベント制御モジュール２６ｃに対して送信する。
【００３１】
加速度イベント制御モジュール２６ｃは、上位アプリケーション２０ｂから情報取得要求を受信すると、加速度検出モジュール２６ｂから受信した加速度情報を上位アプリケーション２０ｂに対して送信する。上位アプリケーション２０ｂは、この加速度情報に基づいてタッチスクリーン１１の画面の表示方向を制御する。
【００３２】
加速度イベント制御モジュール２６ｃは、画面表示点灯消灯制御モジュール２３ａから取得した画面の点灯／消灯情報、加速度センサ連動設定モジュール２０ａから取得したユーザにより設定された加速度連動情報、上位アプリケーション２０ｂから取得したアプリケーションプログラムに設定された加速度連動情報に基づいて、タッチスクリーン１１の画面の表示方向を決定して、画面の表示方向を示す表示方向変更情報を上位アプリケーション２０ｂに対して送信する。上位アプリケーション２０ｂは、この表示方向変更情報に基づいてタッチスクリーン１１の画面の表示方向を変更する。
【００３３】
また、加速度イベント制御モジュール２６ｃは、画面表示点灯消灯制御モジュール２３ａから取得した画面の点灯／消灯情報、加速度センサ連動設定モジュール２０ａから取得したユーザにより設定された加速度連動情報、上位アプリケーション２０ｂから取得したアプリケーションプログラムに設定された加速度連動情報に基づいて、加速度センサ２６ａの電源のＯＮ／ＯＦＦ状態を決定して、加速度センサ２６ａの電源ＯＮ／ＯＦＦ要求を加速度検出モジュール２６ｂに対して送信する。加速度検出モジュール２６ｂは、この電源ＯＮ／ＯＦＦ要求に基づいて加速度センサ２６ａの電源のＯＮ／ＯＦＦ状態を変更する。
【００３４】
ここで、タッチスクリーン１１の画面が点灯されているときに、携帯電話機１が、この加速度センサ２６ａの電源制御処理を行う際の手順について、図７に示すフローチャートに基づいて説明する。以下、例えば「ステップＳ１０１」を「Ｓ１０１」のように、「ステップ」の語句を省略して説明する。
【００３５】
タッチスクリーン１１の画面が点灯されている際、加速度イベント制御モジュール２６ｃは、タッチスクリーン１１の画面が消灯されたか否かを判断する（Ｓ１０１）。この際、加速度イベント制御モジュール２６ｃは、画面表示点灯消灯制御モジュール２３ａから画面の点灯／消灯情報を取得し、この情報に基づいて画面が消灯されたか否かを判断する。画面が消灯された場合（Ｓ１０１のＹｅｓ）は、加速度イベント制御モジュール２６ｃは、加速度センサの電源ＯＦＦ要求を加速度検出モジュール２６ｂに送信することにより、加速度センサ２６ａの電源をＯＦＦにする（Ｓ１０３）。
【００３６】
画面が消灯されていない場合（Ｓ１０１のＮｏ）は、加速度イベント制御モジュール２６ｃは、上位アプリケーション２０ｂが変更されたか否かを判断する（Ｓ１０５）。上位アプリケーション２０ｂが変更された場合（Ｓ１０５のＹｅｓ）は、加速度イベント制御モジュール２６ｃは、上位アプリケーション２０ｂから加速度連動情報を受信したか否かを判断する（Ｓ１０７）。上位アプリケーション２０ｂは、画面の表示方向を加速度に応じて変更さえる機能を備えている場合には、最上位で実行された際に加速度イベント制御モジュール２６ｃに対して加速度連動情報を送信する。
【００３７】
上位アプリケーション２０ｂから加速度連動情報を受信しなかった場合（Ｓ１０７のＮｏ）は、加速度イベント制御モジュール２６ｃは、加速度センサの電源ＯＦＦ要求を加速度検出モジュール２６ｂに送信することにより、加速度センサ２６ａの電源をＯＦＦにする（Ｓ１０３）。
【００３８】
上位アプリケーション２０ｂが変更されていない場合（Ｓ１０５のＮｏ）、または、上位アプリケーション２０から加速度連動情報を受信した場合（Ｓ１０７のＹｅｓ）は、加速度イベント制御モジュール２６ｃは、ユーザにより設定された加速度連動情報がＯＮであるか否かを判断する（Ｓ１０９）。この際、加速度イベント制御モジュール２６ｃは、加速度センサ連動設定モジュール２０ａから加速度連動情報を受信し、この情報に基づいて加速度連動情報がＯＮであるか否かを判断する。
【００３９】
ユーザにより設定された加速度連動情報がＯＮでなかった場合（Ｓ１０９のＮｏ）は、加速度イベント制御モジュール２６ｃは、加速度センサの電源ＯＦＦ要求を加速度検出モジュール２６ｂに送信することにより、加速度センサ２６ａの電源をＯＦＦにする（Ｓ１０３）。ユーザにより設定された加速度連動情報がＯＮであった場合（Ｓ１０９のＹｅｓ）は、加速度イベント制御モジュール２６ｃは、加速度センサの電源ＯＮ要求を加速度検出モジュール２６ｂに送信することにより、加速度センサ２６ａの電源をＯＮにする（Ｓ１１１）。
【００４０】
このように携帯電話機１は、タッチスクリーン１１の画面が点灯しているときに、画面が消灯された場合、または上位アプリケーション２０ｂから加速度連動情報を受信しなかった場合、またはユーザ設定による加速度連動情報がＯＦＦであった場合に、加速度センサ２６ａの電源をＯＦＦにし、それ以外の場合に、加速度センサ２６ａの電源をＯＮにする。
【００４１】
次に、タッチスクリーン１１の画面が消灯されているときに、携帯電話機１が、この加速度センサ２６ａの電源制御処理を行う際の手順について、図８に示すフローチャートに基づいて説明する。なお、タッチスクリーン１１の画面が消灯されている間、加速度センサ２６ａの電源はＯＦＦに設定されている。
【００４２】
タッチスクリーン１１の画面が消灯されている際、加速度イベント制御モジュール２６ｃは、タッチスクリーン１１の画面が点灯されたか否かを判断する（Ｓ２０１）。この際、加速度イベント制御モジュール２６ｃは、画面表示点灯消灯制御モジュール２３ａから画面の点灯／消灯情報を取得し、この情報に基づいて画面が消灯されたか否かを判断する。画面が点灯されていない場合（Ｓ２０１のＮｏ）は、加速度イベント制御モジュール２６ｃは、加速度センサ２６ａの電源をＯＦＦにしたままで待機する。
【００４３】
画面が点灯された場合（Ｓ２０１のＹｅｓ）は、加速度イベント制御モジュール２６ｃは、ユーザにより設定された加速度連動情報がＯＮであるか否かを判断する（Ｓ２０３）。この際、加速度イベント制御モジュール２６ｃは、加速度センサ連動設定モジュール２０ａから加速度連動情報を受信し、この情報に基づいて加速度連動情報がＯＮであるか否かを判断する。
【００４４】
ユーザにより設定された加速度連動情報がＯＮでなかった場合（Ｓ２０３のＮｏ）は、加速度イベント制御モジュール２６ｃは、加速度センサ２６ａの電源をＯＮにせずに、規定情報に基づいてタッチスクリーン１１の画面の表示方向を設定する（Ｓ２０５）。特に指定がない場合に縦方向の表示を行うように規定されていた場合には、携帯電話機１は画面を縦方向で表示する。このとき、例えば図９（Ａ）に示すように、携帯電話機１が横向きで使用されていた場合であっても、タッチスクリーン１１には縦向きの画面が表示される。
【００４５】
ユーザにより設定された加速度連動情報がＯＮであった場合（Ｓ２０３のＹｅｓ）は、加速度イベント制御モジュール２６ｃは、上位アプリケーション２０ｂにより設定された加速度連動情報がＯＮであるか否かを判断する（Ｓ２０７）。この際、加速度イベント制御モジュール２６ｃは、上位アプリケーション２０ｂから加速度連動情報を受信し、かつこの加速度連動情報がＯＮであった場合に、上位アプリケーション２０ｂにより設定された加速度連動情報がＯＮであると判断する。
【００４６】
上位アプリケーション２０ｂにより設定された加速度連動情報がＯＮでなかった場合（Ｓ２０７のＮｏ）は、加速度イベント制御モジュール２６ｃは、加速度センサ２６ａの電源をＯＮにせずに、規定情報に基づいてタッチスクリーン１１の画面の表示方向を設定する（Ｓ２０５）。
【００４７】
上位アプリケーション２０ｂにより設定された加速度連動情報がＯＮであった場合（Ｓ２０７のＹｅｓ）は、加速度イベント制御モジュール２６ｃは、加速度センサの電源ＯＮ要求を加速度検出モジュール２６ｂに送信することにより、加速度センサ２６ａの電源をＯＮにする（Ｓ２０９）。
【００４８】
加速度イベント制御モジュール２６ｃは、加速度検出モジュール２６ｂから受信した加速度情報に基づいて、タッチスクリーン１１の画面の表示方向を設定する（Ｓ２１１）。このとき、例えば図１のＸ軸方向の加速度が所定値以上であった場合に、携帯電話機１が縦向きに、所定値未満であった場合に、携帯電話機１が横向きに使用されているものと判断される。そして、例えば図９（Ｂ）に示すように、携帯電話機１が横向きで使用されていた場合には、タッチスクリーン１１には横向きの画面が表示される。
【００４９】
そして、加速度イベント制御モジュール２６ｃは、ステップＳ２０５またはＳ２１１にて画面の表示方向を設定した後に、設定された表示方向に基づいてタッチスクリーン１１に画面を表示させる（Ｓ２１３）。
【００５０】
このように携帯電話機１は、タッチスクリーン１１の画面が消灯されている状態から点灯されたときに、ユーザ設定による加速度連動情報がＯＮであり、かつ上位アプリケーション２０ｂの加速度連動情報がＯＮであった場合に、加速度センサ２６ａの電源をＯＮにして加速度に応じて画面の表示方向を設定し、それ以外の場合、加速度センサ２６ａの電源をＯＦＦにしたままで、画面の表示方向を規定の表示方向に設定する。
【００５１】
本発明に係る携帯端末（携帯電話機１）によると、加速度に連動させて画面制御を行うとともに、状況に応じて加速度センサ２６ａの電源のＯＮ／ＯＦＦ状態を制御することにより、画面制御の際の電力消費を軽減することが可能となる。
【００５２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、加速度センサの検出値に応じて表示方向を切り替える手段を備えている通信端末であれば、任意の通信端末であっても良い。
【符号の説明】
【００５３】
１…携帯電話機，１０…筐体，１１…タッチスクリーン，１２…スピーカ，１３…マイクロフォン，１４…操作キー，２０…主制御部，２１…電源回路部，２２…操作入力制御部，２３…表示制御部，２４…音声制御部，２５…通信制御部，２５ａ…アンテナ，２６…加速度検出部，２６ａ…加速度センサ，２７…記憶部，３０…画面方向設定画面，３１…選択欄，３２…適用ボタン，３３…メニュー画面。
【図１】
2010245833.tif 000003
【図２】
2010245833.tif 000004
【図３】
2010245833.tif 000005
【図４】
2010245833.tif 000006
【図５】
2010245833.tif 000007
【図６】
2010245833.tif 000008
【図７】
2010245833.tif 000009
【図８】
2010245833.tif 000010
【図９】
2010245833.tif 000011